(57)【要約】【課題】筐体の開口部に設けるダイアルロック式のカバー部材において、確実にロックできるだけでなく、操作も容易なロック構造を提供する。【解決手段】筐体３・４に設けられる開口部５・６と、その開口部５・６を覆うカバー部材７と、回転操作によりカバー部材７を開閉動作させるダイアル８と、カバー部材７に係合可能で、カバー部材７が開口部５・６を覆った状態にロック可能なスライド部材９と、ダイアル８の所定角度以上の回転操作でスライド部材９にダイアル８を係合し、スライド部材９をスライド動作させてカバー部材７が開口部５・６を覆ったロック状態を解除させるロック解除機構と、を備える。さらに、ロック解除機構は、ダイアル８に設けた係合爪８１と、スライド部材９に設けた係合ピン９２と、ダイアル８を戻し方向に付勢するバネ部材１５とからなる。【選択図】図３
2011095548.tif 000002
【特許請求の範囲】
【請求項１】
筐体に設けられる開口部と、
移動可能に前記開口部を覆うカバー部材と、
回転することにより前記カバー部材の移動を規制及び解除するダイアルと、
前記カバー部材に係合可能で、前記カバー部材が前記開口部を覆った状態にロック可能なスライド部材と、
前記ダイアルの所定角度以上の回転操作で前記スライド部材に前記ダイアルを係合し、前記スライド部材をスライド動作させて前記カバー部材が前記開口部を覆ったロック状態を解除させるロック解除機構と、を備えることを特徴とするカバー部材のロック構造。
【請求項２】
前記ロック解除機構は、
前記ダイアルに設けた係合爪と、
前記スライド部材に設けた係合ピンと、を備えることを特徴とする請求項１に記載のカバー部材のロック構造。
【請求項３】
前記ロック解除機構は、前記ダイアルを戻し方向に付勢するバネ部材を備えることを特徴とする請求項２に記載のカバー部材のロック構造。
【請求項４】
前記スライド部材を前記カバー部材との係合方向に付勢するバネ部材を備えることを特徴とする請求項１から３のいずれか一項に記載のカバー部材のロック構造。
【請求項５】
請求項１から４のいずれか一項に記載のロック構造によるカバー部材を備えることを特徴とする電子機器。
【発明の詳細な説明】
【技術分野】
【０００１】
本発明は、筐体の開口部に設けるダイアルロック式のカバー部材のロック構造と、このロック構造によるカバー部材を備える電子機器に関する。
【背景技術】
【０００２】
防水カメラにおける電池蓋のダイアルロック式開閉構造に関する技術が特許文献１に開示される。
【先行技術文献】
【特許文献】
【０００３】
【特許文献１】特開２００４−１５７２４０号公報
【発明の概要】
【発明が解決しようとする課題】
【０００４】
特許文献１のようなダイアルロック式の電池蓋の防水開閉構造の場合、誤動作による電池蓋の開放を防止するためには、ダイアル部を一段奥まった位置に設けるのが常套手段となる。
しかし、このようにダイアル部を一段奥まった位置に設けると、誤操作によるロック解除を防止できるものの、逆に操作がし辛いという欠点がある。
また逆に、操作し易い位置にダイアル部を設けると、不用意な操作されてロックが容易に解除される心配がある。
【０００５】
本発明の課題は、筐体の開口部に設けるダイアルロック式のカバー部材において、確実にロックできるだけでなく、操作も容易なロック構造を提供することである。
【課題を解決するための手段】
【０００６】
以上の課題を解決するため、請求項１に記載の発明は、筐体に設けられる開口部と、移動可能に前記開口部を覆うカバー部材と、回転することにより前記カバー部材の移動を規制及び解除するダイアルと、前記カバー部材に係合可能で、前記カバー部材が前記開口部を覆った状態にロック可能なスライド部材と、前記ダイアルの所定角度以上の回転操作で前記スライド部材に前記ダイアルを係合し、前記スライド部材をスライド動作させて前記カバー部材が前記開口部を覆ったロック状態を解除させるロック解除機構と、を備えるカバー部材のロック構造を特徴とする。
【０００７】
請求項２に記載の発明は、請求項１に記載のカバー部材のロック構造であって、前記ロック解除機構は、前記ダイアルに設けた係合爪と、前記スライド部材に設けた係合ピンと、を備えることを特徴とする。
【０００８】
請求項３に記載の発明は、請求項２に記載のカバー部材のロック構造であって、前記ロック解除機構は、前記ダイアルを戻し方向に付勢するバネ部材を備えることを特徴とする。
【０００９】
請求項４に記載の発明は、請求項１から３のいずれか一項に記載のカバー部材のロック構造であって、前記スライド部材を前記カバー部材との係合方向に付勢するバネ部材を備えることを特徴とする。
【００１０】
請求項５に記載の発明は、請求項１から４のいずれか一項に記載のロック構造によるカバー部材を備える電子機器を特徴とする。
【発明の効果】
【００１１】
本発明によれば、筐体の開口部に設けるダイアルロック式のカバー部材を、確実にロックできるだけでなく、容易に操作することができる。
【図面の簡単な説明】
【００１２】
【図１】本発明を適用した電子機器の一実施形態の構成を示すもので、防水カメラの外装パネル等が装着された状態を示した斜視図である。
【図２】図１の外装パネル等を外した状態の筐体を示した図である。
【図３】図２の筐体とカバー部材とそのロック機構及び解除機構の拡大分解図である。
【図４】図３のダイアルを裏側から見た拡大図である。
【図５】ダイアルの正面図（ａ）、側面図（ｂ）及び背面図（ｃ）である。
【図６】図３のスライド部材を裏側から見た拡大図である。
【図７】スライド部材の正面図（ａ）、側面図（ｂ）及び背面図（ｃ）である。
【図８】図２の筐体の正面図（ａ）と側面図（ｂ）である。
【図９】カバー部材の開き過程１を示すもので、図８の矢印Ａ−Ａ線に沿った断面図（ａ）と、同じく図８の矢印Ｂ−Ｂ線に沿った断面図（ｂ）である。
【図１０】カバー部材の開き過程２を示すもので、図９と同様の断面図（ａ）、（ｂ）である。
【図１１】カバー部材の開き過程３を示すもので、図９と同様の断面図（ａ）、（ｂ）である。
【図１２】カバー部材の閉じ過程１を示すもので、図９（ａ）と同様の断面図である。
【図１３】カバー部材の閉じ過程２を示すもので、図９と同様の断面図（ａ）、（ｂ）である。
【図１４】カバー部材の閉じ過程３を示すもので、図９と同様の断面図（ａ）、（ｂ）である。
【発明を実施するための形態】
【００１３】
以下、図を参照して本発明を実施するための形態を詳細に説明する。
（実施形態）
図１及び図２は本発明を適用した電子機器の一実施形態の構成として防水カメラを示したもので、１はフロントパネル、２はリアパネル、３はフロントケース、４はリアケースである。
【００１４】
実施形態において、防水カメラは、図１に示される外装用のフロントパネル１及びリアパネル２等を取り外すと、図２に示される樹脂製のフロントケース３及びリアケース４等による防水筐体が露出する。
【００１５】
図３は筐体とカバー部材とそのロック機構及び解除機構を分解して拡大したもので、５はメディアスロット、６はＵＳＢポート、７はカバー部材、８はダイアル、９はスライド部材、１１はダイアル取付ネジ、１２はダイアル抜け止めワッシャ、１３はスライドガイドプレート、１４はカバープレート、１５はねじりコイルバネ、１６は引張バネである。
【００１６】
図示のように、フロントケース３及びリアケース４により形成される防水筐体の一側部には、メディアスロット５とＵＳＢ（Universal Serial Bus）ポート６がその開口部を上下に並べて形成されている。そして、このメディアスロット５及びＵＳＢポート６を覆う防水蓋を構成するカバー部材７が設けられるとともに、このカバー部材７の上方に、回転操作によりカバー部材７の移動の規制又は解除するためのダイアル８が設けられている。さらに、カバー部材７に係合可能で、カバー部材７がメディアスロット５及びＵＳＢポート６を覆った状態にロック可能なスライド部材９が設けられている。
【００１７】
すなわち、カバー部材７は、防水蓋フレーム７１をＵＳＢポート６の下方に防水蓋シャフト７２で開閉可能に下端部を取り付けたものである。そして、防水蓋フレーム７１の内面には、メディアスロット５及びＵＳＢポート６の周囲面に密着して防水する防水蓋ラバーパッキン７３が両面テープ７４で貼り付けられている。また、防水蓋フレーム７１の上端部には、スライド部材９がロックする係合溝７５が一体に形成されている。
【００１８】
ダイアル８は、防水筐体（フロントケース３、リアケース４）の一側部でメディアスロット５の上方に設けた取付ボス１０に、ダイアル取付ネジ１１でダイアル抜け止めワッシャ１２を介装して回転操作可能に取り付けられる。このダイアル８の内部には、図４及び図５に示すように、スライド部材９に係合する係合爪８１と、バネ係合部８２が形成されている。
【００１９】
そして、取付ボス１０の周囲に、スライド部材９、スライドガイドプレート１３、カバープレート１４、ねじりコイルバネ１５が重ねられている。スライド部材９は、防水筐体（フロントケース３、リアケース４）の取付ボス１０の上方に係合して固定するスライドガイドプレート１３に対し上下方向にスライド可能に保持される。カバープレート１４は、ねじりコイルバネ１５をダイアル８の内部に収納して保持する。ねじりコイルバネ１５は、その一端部を、カバープレート１４の切欠部を経て、防水筐体（フロントケース３、リアケース４）の取付ボス１０の周囲に形成した孔等の係合部に差し込んで固定される一方、他端部をダイアル８内部のバネ係合部８２に差し込んで係合されている。
【００２０】
スライド部材９には、図６及び図７に示すように、カバー部材７の係合溝７５に係合するロック爪９１が下端部にネジ止め固定されて、中間部の表側に突出する係合ピン９２と、上端部の内側に突出するバネ保持ピン９３とが一体に形成されている。そして、係合ピン９２は、ダイアル８の回転操作時にその内部の係合爪８１に係合する。また、引張バネ１６は、バネ保持ピン９３と、防水筐体（フロントケース３、リアケース４）の取付ボス１０の上方に設けたバネ保持ピン１７とに掛け渡されている。
【００２１】
以上において、ダイアル８は、図１に示したように、外装パネル（フロントパネル１、リアパネル２）の形状により上下部分が隠されて前後部分のみが露出していて、不用意な操作を回避できるものとなっている。
【００２２】
次に、図８は筐体の正面図（ａ）と側面図（ｂ）を示したもので、図９はカバー部材７の開き過程１（ダイアル回転開始）を示すもので、図９（ａ）は図８の矢印Ａ−Ａ線に沿った断面を示し、図９（ｂ）は同じく図８の矢印Ｂ−Ｂ線に沿った断面を示している。
【００２３】
図示のように、カバー部材７の係合溝７５にスライド部材９のロック爪９１が係合したロック状態は、スライド部材９を下方に付勢する引張バネ１６により保たれる。そして、このロック状態において、ダイアル８の係合爪８１がスライド部材９の係合ピン９２に対し下方に離れた位置にある。従って、カバー部材７を閉じた防水ロック状態において、係合爪８１と係合ピン９２が離間した分の遊びがあるため、ダイアル８を少し回転しても、ねじりコイルバネ１５の付勢によりダイアル８は図示の位置に戻される。
【００２４】
矢印で示すように、ダイアル８を時計回り方向に回転操作すると、ダイアル８の係合爪８１がスライド部材９の係合ピン９２に当接して、矢印で示したように、スライド部材９が上方にスライドし始める。
【００２５】
図１０はカバー部材７の開き過程２（スライド連動開始）を示すもので、図示のように、係合爪８１が係合ピン９２に当接すると、スライド部材９のバネ保持ピン９３と、防水筐体のバネ保持ピン１７とに掛け渡した引張バネ１６が伸び始め、スライド部材９が上方にスライドし始める。
【００２６】
図１１はカバー部材７の開き過程３（蓋ロック解除）を示すもので、図示のように、ダイアル８の回転操作により係合爪８１が係合ピン９２を押し上げ、引張バネ１６を伸ばして、スライド部材９が上方にスライドすると、スライド部材９のロック爪９１がカバー部材７の係合溝７５が外れて、ロックが解除される。従って、カバー部材７は、防水蓋ラバーパッキン７３の弾性により下方の防水蓋シャフト７２を支点として揺動し、メディアスロット５及びＵＳＢポート６を開放する。
【００２７】
このように、ダイアル８に設けた係合爪８１と、スライド部材９に設けた係合ピン９２と、ダイアル８を戻し方向に付勢するねじりコイルバネ１５とにより、ロック解除機構が構成されている。
【００２８】
また、図１２はカバー部材７の閉じ過程１（蓋閉め開始）を示すもので、スライド部材９は引張バネ１６により下方に付勢された状態に保たれ、ダイアル８はねじりコイルバネ１５の付勢により元の位置に戻されている。この状態からカバー部材７をワンタッチで閉められる。
【００２９】
図１３はカバー部材７の閉じ過程２（スライド連動開始）を示すもので、図示のように、カバー部材７の上端部がスライド部材９のロック爪９１に当接し、引張バネ１６が伸び始め、スライド部材９が上方にスライドし始める。
【００３０】
図１４はカバー部材７の閉じ過程３（蓋ロック）を示すもので、ロック爪９１がカバー部材７の上端部を乗り越えると、図示のように、引張バネ１６の付勢によりロック爪９１がカバー部材７の係合溝７５に係合したロック状態に保たれる。
【００３１】
このように、カバー部材７をワンタッチで閉めることができる。
【００３２】
以上、実施形態の防水カメラによれば、防水筐体（フロントケース３、リアケース４）の開口部（メディアスロット５、ＵＳＢポート６）をカバー部材７が覆った状態にロック可能なスライド部材９と、回転操作によりカバー部材７の移動の規制又は解除するためのダイアル８と、ダイアル８の所定角度以上の回転操作でスライド部材９にダイアル８を係合し、スライド部材９をスライド動作させてカバー部材７が開口部を覆ったロック状態を解除させるロック解除機構（ダイアル８の係合爪８１、スライド部材９の係合ピン９２）と、を備えることで、ダイアルロック式のカバー部材７を確実にロックできるだけでなく、容易に開閉操作することができる。
【００３３】
（変形例）
以上の実施形態においては、カメラとしたが、本発明はこれに限定されるものではなく、カメラを備える携帯電話などの機器であってもよい。
また、筐体、開口部、カバー部材、ダイアル、及びスライド部材の形状等も任意であり、その他、ロック解除機構の構成等、具体的な細部構造等についても適宜に変更可能であることは勿論である。
【符号の説明】
【００３４】
１  外装パネル
２  外装パネル
３  筐体
４  筐体
５  開口部
６  開口部
７  カバー部材
７１  防水蓋フレーム
７２  防水蓋シャフト
７３  防水蓋ラバーパッキン
７５  係合溝
８  ダイアル
８１  係合爪
８２  バネ係合部
９  スライド部材
９１  ロック爪
９２  係合ピン
９３  バネ保持ピン
１１  ダイアル取付ネジ
１２  ダイアル抜け止めワッシャ
１３  スライドガイドプレート
１４  カバープレート
１５  バネ部材
１６  バネ部材
１７  バネ保持ピン
【図１】
2011095548.tif 000003
【図２】
2011095548.tif 000004
【図３】
2011095548.tif 000005
【図４】
2011095548.tif 000006
【図５】
2011095548.tif 000007
【図６】
2011095548.tif 000008
【図７】
2011095548.tif 000009
【図８】
2011095548.tif 000010
【図９】
2011095548.tif 000011
【図１０】
2011095548.tif 000012
【図１１】
2011095548.tif 000013
【図１２】
2011095548.tif 000014
【図１３】
2011095548.tif 000015
【図１４】
2011095548.tif 000016